(57)【要約】【課題】メタルマスクの複数の係合孔のうちの一部の係合孔の縁にめくれ上がりが生じたり、メタルマスクに部分的なたるみが生じたりしにくいメタルマスク用版枠を提供。【解決手段】四角形状のフレーム１１と、第１の支持部１３および第１の突起部１４を備える第１の係止部１２と、第２の支持部２３、第２の突起部２４および、基端支持部２５と、を備える第２の係止部２２と、第１の誘導部３１Ｇを有するセンターブロック３１、スライド機構３２、第２の誘導部３４Ｇを有する一対のサイドブロック３４、および第１の受動部３３Ｐ１と第２の受動部３３Ｐ２を有する一対の可動ブロック３３を備える傾倒手段３０と、付勢手段１５とを備える。【選択図】図１
2010247504.tif 000002
【特許請求の範囲】
【請求項１】
縁部近傍に複数の係合孔が形成されたメタルマスクを張設するためのメタルマスク用版枠であって、
四角形状のフレームと、
該フレームの互いに対向する一対の辺のうちの一方の辺の内周側に延設され、前記メタルマスクの本体を支持する第１の支点を備えた第１の支持部と、該第１の支持部に突設され、先端側に前記メタルマスクの係合孔に挿入される複数の第１の突起を備えた第１の突起部と、を備える第１の係止部と、
前記フレームの前記一対の辺のうちの他方の辺の内周側に延設され、前記メタルマスクの本体を支持する第２の支点を備えた第２の支持部と、該第２の支持部に傾倒自在に支持され、先端側に前記メタルマスクの係合孔に挿入される複数の第２の突起を備えた第２の突起部と、該第２の突起部の基端側を係止する基端支持部と、を備える第２の係止部と、
前記第２の係止部に摺動自在に支持され、両側部にそれぞれ第１の誘導部を有するセンターブロックと、該センターブロックを前記フレームの前記一対の辺と直交する方向にスライドさせるスライド機構と、前記センターブロックの第１の誘導部とそれぞれ対向する側の側部に第２の誘導部を有し、前記第２の支持部の両端近傍にそれぞれ固定された一対のサイドブロックと、前記第２の係止部に摺動自在に支持され、前記センターブロックの第１の誘導部とそれぞれ対向する側の側部に該第１の誘導部に接する第１の受動部を有するとともに、前記サイドブロックの第２の誘導部とそれぞれ対向する側の側部に該第２の誘導部に接する第２の受動部を有し、前記センターブロックのスライド動作によりそれぞれ斜め前方に押し出される一対の可動ブロックと、を備える傾倒手段と、
前記第２の突起部を直立する方向に付勢する付勢手段と、
を備えることを特徴とするメタルマスク用版枠。
【請求項２】
前記傾倒手段のスライド機構は、カムと、カム受けと、一端が前記カムの軸部に係止され、他端が前記センターブロックに係止されたリンク手段と、前記カムに着脱自在に突設され、傾倒操作でカムを回転駆動するカム駆動手段と、を有することを特徴とする請求項１記載のメタルマスク用版枠。
【発明の詳細な説明】
【技術分野】
【０００１】  本発明は、例えば各種の電子部品等の実装のためにプリント配線板等にハンダペーストをスクリーン印刷によって塗布するに際し、更には一般のスクリーン印刷に際し、メタルマスクを着脱可能に張設して用いるメタルマスク用版枠に関する。
【背景技術】
【０００２】  従来、この種のメタルマスク用版枠の一例が特許文献１に記載されている。具体的には、図１２および図１３に示すように、フレーム部材１０１と、張り付け手段１０８と、引き込み手段とを有する。フレーム部材１０１の内側壁１０２には、メタルマスク１０７を支持する際の支点となる前端１０６と、前端１０６縁よりも下にあって外側に向いた水平な凹部１２２とを有する。引き込み手段は、偏心軸部１１７を有し、張り付け時にフレーム部材１０１に固定された状態の軸受けに受けられ、レバー１１５の作動によりフレーム部材１０１に固定された中心線のまわりを回転するシャフト１１６を有する。張り付け手段１０８は、フレーム部材１０１の凹部１２２と接する凸状の支点１２３と、この支点１２３とは逆の方向を向き引き込み手段のシャフト１１６の偏心軸部１１７を挟んでそれと接するヨーク部１１９とを有するブロック１１８を、メタルマスク１０７を張り付けるための必要数のピンプレート１０９の下側に有する。そして、偏心軸部１１７の偏心回転による偏心軸部１１７の前後方向（図１３における上下方向）への移動成分を、ヨーク部１１９の前後方向への移動に用い、且つ偏心軸部１１７の前後方向と直角方向の移動成分をブロック１１８内の穴１２０に偏心軸部１１７を押し付けるよう配置されたコイルバネ１２１により吸収させることによって、ブロック１１８を支点１２３を中心に円弧を描く運動を行なわせるものである。
【先行技術文献】
【特許文献】
【０００３】
【特許文献１】特開２０００−３０１６９０号公報
【発明の概要】
【発明が解決しようとする課題】
【０００４】  上記背景技術に記載のメタルマスク用版枠においては、シャフト１１６の一端に連結されたレバー１１５によって偏心軸部１１７を回転させるが、シャフトに捩れが生じて、レバー１１５から離間するにつれてメタルマスク１０７を張設するための引っ張り力が低下する傾向がある。このため、張設されるメタルマスクにおいて、縁部近傍に配設された複数の係合孔のうち、レバーに最も近い係合孔に引っ張り力が集中して、係合孔の縁にめくれ上がりが生じたり、これに起因してメタルマスクに部分的なたるみが生じたりしやすいという課題があった。
本発明は、上記課題を解決して、メタルマスクを着脱可能に張設して用いるメタルマスク用版枠において、メタルマスクの複数の係合孔のうちの一部の係合孔の縁にめくれ上がりが生じたり、メタルマスクに部分的なたるみが生じたりしにくいメタルマスク用版枠を提供することを目的とする。
【課題を解決するための手段】
【０００５】  本発明は、（１）縁部近傍に複数の係合孔が形成されたメタルマスクを張設するためのメタルマスク用版枠であって、
四角形状のフレームと、
該フレームの互いに対向する一対の辺のうちの一方の辺の内周側に延設され、前記メタルマスクの本体を支持する第１の支点を備えた第１の支持部と、該第１の支持部に突設され、先端側に前記メタルマスクの係合孔に挿入される複数の第１の突起を備えた第１の突起部と、を備える第１の係止部と、
前記フレームの前記一対の辺のうちの他方の辺の内周側に延設され、前記メタルマスクの本体を支持する第２の支点を備えた第２の支持部と、該第２の支持部に傾倒自在に支持され、先端側に前記メタルマスクの係合孔に挿入される複数の第２の突起を備えた第２の突起部と、該第２の突起部の基端側を係止する基端支持部と、を備える第２の係止部と、
前記第２の係止部に摺動自在に支持され、両側部にそれぞれ第１の誘導部を有するセンターブロックと、該センターブロックを前記フレームの前記一対の辺と直交する方向にスライドさせるスライド機構と、前記センターブロックの第１の誘導部とそれぞれ対向する側の側部に第２の誘導部を有し、前記第２の支持部の両端近傍にそれぞれ固定された一対のサイドブロックと、前記第２の係止部に摺動自在に支持され、前記センターブロックの第１の誘導部とそれぞれ対向する側の側部に該第１の誘導部に接する第１の受動部を有するとともに、前記サイドブロックの第２の誘導部とそれぞれ対向する側の側部に該第２の誘導部に接する第２の受動部を有し、前記センターブロックのスライド動作によりそれぞれ斜め前方に押し出される一対の可動ブロックと、を備える傾倒手段と、
前記第２の突起部を直立する方向に付勢する付勢手段と、
を備える。（以下、本発明の第１の技術手段と称する。）【０００６】  また、上記メタルマスク用版枠の主要な形態の一つは、（２）上記第１の技術手段に加えてさらに、前記傾倒手段のスライド機構が、カムと、カム受けと、一端が前記カムの軸部に係止され、他端が前記センターブロックに係止されたリンク手段と、前記カムに着脱自在に突設され、傾倒操作でカムを回転駆動するカム駆動手段と、を有する。（以下、本発明の第２の技術手段と称する。）【０００７】  上記第１の技術手段による作用は以下の通りである。すなわち、四角形状のフレームと、該フレームの互いに対向する一対の辺のうちの一方の辺の内周側に延設され、メタルマスクの本体を支持する第１の支点を備えた第１の支持部と、該第１の支持部に突設され、先端側にメタルマスクの係合孔に挿入される複数の第１の突起を備えた第１の突起部と、を備える第１の係止部と、
前記フレームの前記一対の辺のうちの他方の辺の内周側に延設され、メタルマスクの本体を支持する第２の支点を備えた第２の支持部と、第２の支持部に傾倒自在に支持され、先端側にメタルマスクの係合孔に挿入される複数の第２の突起を備える第２の突起部と、該第２の突起部の基端側を係止する基端支持部と、を備える第２の係止部と、
前記第２の係止部に摺動自在に支持され、両側部にそれぞれ第１の誘導部を有するセンターブロックと、該センターブロックを前記フレームの前記一対の辺と直交する方向にスライドさせるスライド機構と、センターブロックの第１の誘導部とそれぞれ対向する側の側部に第２の誘導部を有し、前記第２の支持部の両端近傍にそれぞれ固定された一対のサイドブロックと、前記第２の係止部に摺動自在に支持され、前記センターブロックの第１の誘導部とそれぞれ対向する側の側部に該第１の誘導部に接する第１の受動部を有するとともに、前記サイドブロックの第２の誘導部とそれぞれ対向する側の側部に該第２の誘導部に接する第２の受動部を有し、センターブロックのスライド動作によりそれぞれ斜め前方に押し出される一対の可動ブロックと、を備える傾倒手段と、
前記第２の突起部を直立する方向に付勢する付勢手段と、
を備える。
このため、スライド機構によりセンターブロックがスライドされ、これがセンターブロックの両側部にそれぞれ設けられた第１の誘導部およびこれと対向して配置された一対のサイドブロックの第２の誘導部を介して、一対の可動ブロックのそれぞれ両端に分散されて可動ブロックのそれぞれ斜め前方への斜行動作に変換され、幅方向の中央および両端に分散された状態で第２の突起部の傾倒動作が行なわれる。【０００８】  上記第２の技術手段による作用は次の通りである。すなわち、前記傾倒手段のスライド機構は、カムと、カム受けと、一端が前記カムの軸部に係止され、他端が前記センターブロックに係止されたリンク手段と、前記カムに着脱自在に突設され、傾倒操作でカムを回転駆動するカム駆動手段と、を有する。
このため、カムのわずかな回転で第２の突起部に十分な傾倒動作を付与することができ、メタルマスク用版枠へのメタルマスクの張設を簡易かつ短時間に行なうことができる。
【発明の効果】
【０００９】  本発明のメタルマスク用版枠によれば、メタルマスクの一部の係合孔にめくれ上がりが生じたり、部分的なたるみが生じたりするのを抑制して、メタルマスクを安定して張設することができる。
【図面の簡単な説明】
【００１０】
【図１】本発明のメタルマスク用版枠の第１の実施形態を示す平面図である。
【図２】上記実施形態の内部構造を示す図であり、図２（Ａ）は図１のＡ−Ａ線における部分拡大断面図、図２（Ｂ）は図１のＢ−Ｂ線における部分拡大断面図である。
【図３】上記実施形態の要部を示す図であり、図３（Ｃ）は図１の破線で囲まれたＣの領域を示す要部の拡大平面図、図３（Ｄ）は図１の破線で囲まれたＤの領域を示す要部の拡大平面図である。
【図４】上記実施形態の動作を示す平面図である。
【図５】上記実施形態の動作を示す図であり、図５（Ｅ）は図４のＥ−Ｅ線における部分拡大断面図、図５（Ｆ）は図４のＦ−Ｆ線における部分拡大断面図である。
【図６】上記実施形態のメタルマスク用版枠上にメタルマスクを載置した状態を示す平面図である。
【図７】上記実施形態のメタルマスク用版枠にメタルマスクを載置した状態を示す図であり、図７（Ｇ）は図６のＧ−Ｇ線における部分拡大断面図、図７（Ｈ）は図６のＨ−Ｈ線における部分拡大断面図である。
【図８】上記実施形態のメタルマスク用版枠にメタルマスクをセットする動作を示す図７（Ｈ）に対応する部分拡大断面図である。
【図９】上記実施形態のメタルマスク用版枠にメタルマスクを張設した状態を示す図であり、図９（Ｉ）は図６のＧ−Ｇ線に相当する位置の部分拡大断面図、図９（Ｊ）は図６のＨ−Ｈ線に相当する位置の部分拡大断面図である。
【図１０】本発明の第２の実施形態のメタルマスク用版枠を示す平面図である。
【図１１】上記実施形態のメタルマスク用版枠上にメタルマスクを載置した状態を示す平面図である。
【図１２】背景技術の一例を示す図である。
【図１３】上記背景技術の要部の拡大断面図である。
【発明を実施するための形態】
【００１１】  次に、本発明のメタルマスク用版枠の第１の実施形態について、図１〜図５を参照して説明する。
本実施形態のメタルマスク用版枠１０は、図１および図２に示すように、四角形状のフレーム１１と、第１の係止部１２と、第２の係止部２２と、傾倒手段３０と、付勢手段１５とを有する。
フレーム１１は、互いに対向する一対の辺１１ａ，１１ｂを有し、四角形状に形成されている。各辺１１ａ，１１ｂは、アルミニウム等の金属地金から引き抜き加工により、それぞれ角筒状に形成されている。
第１の係止部１２は、フレーム１１の互いに対向する一対の辺１１ａ，１１ｂのうちの一方の辺１１ａの内周側に延設されている。そして第１の係止部１２は、図示省略したメタルマスクの本体を支持する第１の支点１３Ｔを備え、例えばアルミニウム等の金属板から板金加工により形成された第１の支持部１３と、第１の支持部１３に突設され、先端側に複数の第１の突起１４Ｔを備え例えばステンレス等の金属板から板金加工により形成された第１の突起部１４と、を備える。
第２の係止部２２は、フレーム１１の対向する一対の辺１１ａ，１１ｂのうちの他方の辺１１ｂの内周側に延設されている。そして第２の係止部２２は、図示省略したメタルマスクの本体を支持する第２の支点２３Ｔを備え例えばアルミニウム等の金属板から板金加工により形成された第２の支持部２３と、第２の支持部２３に傾倒自在に支持され、先端側に複数の第２の突起２４Ｔを備え例えばステンレス等の金属板から板金加工により形成された第２の突起部２４と、第２の突起部２４の基端２４Ｂ側を係止する基端支持部２５と、を備える。
傾倒手段３０は、センターブロック３１と、スライド機構３２と、一対のサイドブロック３４，３４と、一対の可動ブロック３３，３３と、を備える。
これらのうち、傾倒手段３０のセンターブロック３１と、一対のサイドブロック３４，３４と、一対の可動ブロック３３，３３とが、第２の支持部２３と第２の突起部２４とで挟まれるように第２の係止部２２の内部に配設されている。
センターブロック３１は、図３に示すように、例えばステンレス等の金属柱から切削加工により形成され第１の誘導部３１Ｇを両側部に有し、第２の係止部２２に摺動自在に支持されている。また、一対のサイドブロック３４，３４は、センターブロック３１の第１の誘導部３１Ｇと対向する側の側部に第２の誘導部３４Ｇを有し、第２の支持部２４の両端近傍に例えばネジ止め等により固定されている。一対の可動ブロック３３、３３は、センターブロック３１の第１の誘導部３１Ｇとそれぞれ対向する側の側部に第１の誘導部３１Ｇと接する第１の受動部３３Ｐ１を有するとともに、サイドブロック３４の第２の誘導部３４Ｇとそれぞれ対向する側の側部に第２の誘導部３４Ｇと接する第２の受動部３３Ｐ２を有する。
一対の可動ブロック３３、３３は、それぞれ、センターブロック３１およびサイドブロック３４で長手方向の両端側をガイドされている。また、一対の可動ブロック３３，３３の長手方向の一辺側はそれぞれ第２の突起部２４と接している。
また、センターブロック３１は、後述するスライド機構３２に連結されており、フレーム１１の一対の辺１１ａ，１１ｂと直交する方向にスライド可能に構成されている。
また、付勢手段１５は、第２の係止部２２の基端支持部２５とともに、第２の支持部２３に例えばネジ止めされている。
【００１２】  本実施形態においては、図３に示すように、センターブロック３１の第１の誘導部３１Ｇは、フレーム１１の互いに対向する一対の辺１１ａ，１１ｂに対し斜めに配置された斜面からなる。同様に、サイドブロック３４，３４の第２の誘導部３４Ｇも、フレーム１１の一対の辺１１ａ，１１ｂに対し斜めに配置された斜面からなる。
一方、可動ブロック３３，３３には、第１の受動部３３Ｐ１として、センターブロック３１の第１の誘導部３１Ｇと対向するように形成された斜面に、複数の小径ボールとこれらの小径ボールに支持され一部が露出するようにケーシング内に収容された大径ボールとを備えるボールベアリングが埋め込まれており、センターブロックと可動ブロックとの間の摩擦を低減している。同様に、可動ブロック３３，３３のサイドブロック３４の第２の誘導部３４Ｇと対向するように形成された斜面には、第２の受動部３３Ｐ２として、前記と同様に、複数の小径ボールとこれらの小径ボールに支持され一部が露出するようにケーシング内に収容された大径ボールとを備えるボールベアリングが埋め込まれており、サイドブロックと可動ブロックとの間の摩擦を低減している。
そして、図３に一点鎖線の矢印で示すようにセンターブロック３１のスライド動作により、一対の可動ブロック３３，３３が二点鎖線の矢印で示すようにそれぞれ斜め前方に押し出される。
【００１３】  本実施形態のメタルマスク用版枠１０におけるスライド機構３２は、図２に示すように、リンク手段３２ａと、カム受け３２ｂと、カム３２Ｃと、図示省略したカム駆動手段３２ｄとを有する。カム受け３２ｂ及びカム３２Ｃは、フレーム１１の一辺１１ｂの内部に収容されている。また、リンク手段３２ａは、一端が第２の係止部２２に収容されたセンターブロック３１に係止され、カム受け３２ｂを貫通して、他端がカム３２Ｃの軸部３２ＣＳに係止されている。カム３２Ｃにはリンク手段３２ａを差し込む溝と、図示省略したカム駆動手段３２ｄの一端を着脱自在に支持する挿入穴３２ＣＨが形成されている。
また、フレーム１１には、カム３２Ｃの挿入穴３２ＣＨにカム駆動手段３２ｄを差し込んだ状態で傾倒可能にするためにスリットが形成されている。
【００１４】  次に、本実施形態のメタルマスク用版枠１０の動作について図１〜図５を参照して説明する。
まず、初期状態では、フレーム１１の互いに対向する一対の辺１１ａ，１１ｂのうちの他方の辺１１ｂの内周側に延設された第２の係止部２２の第２の支持部２３に傾倒自在に支持される第２の突起部２４は、付勢手段１５により付勢されてほぼ直立した状態にある。次に、スライド機構３２によって傾倒手段３０のセンターブロック３１がフレーム１１の対向する一対の辺１１ａ，１１ｂと直交する方向に外周側に向かってスライドされる。このとき、センターブロック３１の第１の誘導部３１Ｇにより一対の可動ブロック３３，３３のそれぞれ一方の側部の第１の受動部３３Ｐ１が斜め前方に押し出されるとともに、サイドブロック３４の第２の誘導部３４Ｇにより一対の可動ブロック３３，３３のそれぞれ他方の側部の第２の受動部３３Ｐ２が斜め前方に押し出される。このため、第２の突起部２４の第２の突起２４Ｔを有する先端側がフレーム１１の外周方向に向かって傾倒される。このとき、一対の可動ブロック３３，３３それぞれの両端に推進力が付与されるので、第２の突起部２４の幅方向の中央および両端近傍に同時に傾倒動作の推進力が作用する。
【００１５】  次に、本実施形態のメタルマスク用版枠１０にメタルマスク４０を張設する手順の一例を図６〜図９を参照して説明する。
まず、本実施形態のメタルマスク用版枠１０上に、一点鎖線で示すように、本体のほぼ中央部に印刷パターンに対応する透孔４２が形成されるとともに、縁部近傍に複数の係合孔４１が形成されたメタルマスク４０が載置される。メタルマスク４０の本体は、第１の係止部１２の第１の支持部１３の先端側の第１の支点１３Ｔ、および第２の係止部２２の第２の支持部２３の先端側の第２の支点２３Ｔで支持される。そして、メタルマスク４０の互いに対向する一対の縁部のうちの一方の縁部近傍に形成された係合孔４１が第１の係止部１２の第１の突起部１４の第１の突起１４Ｔ上に配置され、またメタルマスク４０の他方の縁部近傍に形成された係合孔４１に第２の係止部２２の第２の突起部２４の第２の突起２４Ｔが挿入される。そして、傾倒手段３０のスライド機構３２のカム３２Ｃに形成された挿入穴３２ＣＨにカム駆動手段３２ｄの一端側が挿入される。そして、メタルマスク４０の対向する一対の縁部近傍をそれぞれ第１の係止部１２の第１の突起部１４および第２の係止部２２の第２の突起部２４側に押し込んだ状態でカム駆動手段３２ｄを一点鎖線で示す矢印方向に倒すことにより、図９（Ｉ）に示すように、メタルマスク４０の対向する一対の縁部のうちの一方の縁部近傍の係合孔４１に第１の係止部１２の第１の突起部１４の第１の突起１４Ｔが挿入されて係合するとともに第１の支持部１３に沿って縁部がフレーム１１の内周側に引き込まれる。また、図９（Ｊ）に示すように、メタルマスク４０の他方の縁部近傍の係合孔４１に第２の係止部２２の第２の突起部２４の第２の突起２４Ｔが挿入されて係合するとともに縁部がフレーム１１の内周側に引き込まれる。
【００１６】  次に、本発明のメタルマスク用版枠の第２の実施形態について、図１０および図１１を参照して説明する。本実施形態のメタルマスク用版枠５０は、先の第１の実施形態のメタルマスク用版枠１０の互いに対向する一対の辺１１ａ，１１ｂと直交し、互いに対向する一対の辺に、前記実施形態と同様に、第１の係止部と第２の係止部を設けたものである。
【００１７】  尚、説明の都合上、前記と同一の構成については同一の符号を付するとともに、対応する構成については、同符号に’（ダッシュ）を付した。図１０に示すように、フレーム５１の互いに対向する一対の辺５１ａ，５１ｂには、第１の実施形態のメタルマスク用版枠１０と同様に、それぞれ、第１の係止部１２と第２の係止部２２が設けられている。また、これらの辺と直交する互いに対向する一対の辺５１ｃ、５１ｄにも、第１の実施形態のメタルマスク用版枠１０の第１の係止部１２および第２の係止部２２に対応するように、それぞれ第１の係止部１２’および第２の係止部２２’が設けられている。
【００１８】  また、図１１に示すように、第２の実施形態のメタルマスク用版枠５０に張設されるメタルマスク６０には、前記と同様に本体のほぼ中央部に印刷パターンを形成するための透孔６２が形成されるとともに、メタルマスク６０の４辺の縁部近傍にそれぞれ係合孔６１が形成されている。
【００１９】  次に、本発明のメタルマスク用版枠の各部の好ましい実施形態について説明する。
フレームは、四角形状であることが好ましい。また、フレームの４辺は、一体であってもよく、また、別体の各辺をそれぞれ端部で連結して構成してもよい。また、対向する一対の辺の間隔を調整するための調整手段を各辺もしくは各辺の連結部に設けてもよい。
【００２０】  第１の係止部としては第１の支持部と第１の突起部とを有するものであればよく、必要に応じて、第２の係止部と同様に第１の突起部を傾倒する傾倒手段を付加したものであってもよい。
【００２１】  第２の係止部としては、第２の支持部と第２の突起部と、基端支持部を有することが好ましい。また、第２の支持部と基端支持部とを一体にしてもよい。
【００２２】  傾倒手段は、センターブロックと、一対の可動ブロックと、一対のサイドブロックと、スライド機構とを有することが好ましい。また、センターブロックを複数設けてもよい。また、一対のサイドブロックは、例えば第２の支持部やフレームと一体にしてもよい。また、第１の誘導部と第１の受動部、および第２の誘導部と第２の受動部は、それぞれ一対の関係にある。このため、本発明の実施形態では摩擦を低減する手段を受動部に設けたが、これに限定するものではなく、摩擦を低減する手段を誘導部と受動部のいずれか一方に設ければよく、また、それぞれに設けてもよい。また、摩擦を低減する手段としては、取り扱いが容易なためにボールベアリングが好ましいが、これに限定するものではなく、各種のスライダーを用いることができる。また、滑性シート等をブロックの表面に貼着してもよい。
【００２３】  傾倒手段のスライド機構としては、動作が簡易なことから本実施形態ではカムおよびリンク手段を用いたが、これに限定するものではなく、リンク構造の取手やネジ等であってもよい。
【００２４】  また、本発明のメタルマスク用版枠は、第２の突起部を直立する方向に付勢する付勢手段を有することが好ましい。また、付勢手段を第２の突起部と一体にしてもよい。
【産業上の利用可能性】
【００２５】  縁部近傍に複数の係合孔を備えた公知の種々のメタルマスクを張設して用いることができる。特に、クリーム半田印刷に用いるメタルマスクに好適である。
【符号の説明】
【００２６】  １０：メタルマスク用版枠
１１：フレーム
１２，１２’：第１の係止部
１３，１３’：第１の支持部
１３Ｔ，１３Ｔ’：第１の支点
１４，１４’：第１の突起部
１４Ｔ：第１の突起
１５：付勢手段
２２，２２’：第２の係止部
２３，２３’：第２の支持部
２３Ｔ，２３Ｔ’：第２の支点
２４，２４’：第２の突起部
２４Ｂ：基端
２４Ｔ，２４Ｔ’：第２の突起
２５：２５’：基端支持部
３０：傾倒手段
３１，３１’：センターブロック
３１Ｇ：第１の誘導部
３２，３２’：スライド機構
３２ａ、３２ａ’：リンク手段
３２ｂ、３２ｂ’：カム受け
３２Ｃ，３２Ｃ’：カム
３２ｄ：３２ｄ’：カム駆動手段
３３，３３’：可動ブロック
３３Ｐ１：第１の受動部
３３Ｐ２：第２の受動部
３４，３４’：サイドブロック
３４Ｇ：第２の誘導部
４０：メタルマスク
４１：係合孔
４２：印刷パターン（透孔）
５０：メタルマスク用版枠
５１：フレーム
６０：メタルマスク
６１：係合孔
６２：印刷パターン（透孔）
【図１】
2010247504.tif 000003
【図２】
2010247504.tif 000004
【図３】
2010247504.tif 000005
【図４】
2010247504.tif 000006
【図５】
2010247504.tif 000007
【図６】
2010247504.tif 000008
【図７】
2010247504.tif 000009
【図８】
2010247504.tif 000010
【図９】
2010247504.tif 000011
【図１０】
2010247504.tif 000012
【図１１】
2010247504.tif 000013
【図１２】
2010247504.tif 000014
【図１３】
2010247504.tif 000015